(57)【要約】      （修正有）【課題】簡易な構成で異なる種類のシェードの取付けが容易にできるＬＥＤ電球用ソケット及びＬＥＤ電球用ソケット装置を提供する。【解決手段】本ＬＥＤ電球用ソケット５は、その上面に、天井１の電源部３に嵌合する一対の接続端子１１を備え、その下面に、ＬＥＤ電球１３用の口金１５を備え、側面にシェード２１の開口部２３が上から載置されるフランジ部１９を備えており、シェード２１を取り付けできるようになっている。【選択図】図１
0003171210.tif 000002
【実用新案登録請求の範囲】
【請求項１】
上面に天井の電源部に嵌合する一対の接続端子を備え、下面にＬＥＤ電球を接続する口金を備え、側面にシェードの開口部が上から載置可能なフランジ部を備えることを特徴とするＬＥＤ電球用ソケット。
【請求項２】
下面の口金は複数であり、スイッチにより各口金への通電のＯＮ・ＯＦＦを切換可能にしてあることを特徴とする請求項１に記載のＬＥＤ電球用ソケット。
【請求項３】
請求項１又は２のＬＥＤ電球用ソケットと、このＬＥＤ電球用ソケットと天井の前記電源部との間に配置してＬＥＤ電球の高さを調整するアダプタとを備え、アダプタは上面に前記電源部に嵌合する一対のアダプタ端子を備え、下面にＬＥＤ電球用ソケットの接続端子に接続される端子受け部を備え、側面にシェードの開口部が上から載置可能なフランジ部を備えることを特徴とするＬＥＤ電球用ソケット装置。
【考案の詳細な説明】
【技術分野】
【０００１】
本考案は、ＬＥＤ（Ｌｉｇｈｔ  Ｅｍｉｔｔｉｎｇ  Ｄｉｏｄｅ）電球を装着して天井の電源部からＬＥＤに電気を流して室内を照明する為のＬＥＤ電球用ソケット及びＬＥＤ電球用ソケット装置に関する。
【背景技術】
【０００２】
特許文献１には、白熱電球用ソケットにおいて、側面にシェード（笠）を嵌め込む嵌合溝を形成してシェードの開口部を嵌合溝に嵌め込んでシェードを取り付けることが開示されている。
【先行技術文献】
【特許文献】
【０００３】
【特許文献１】特開平８−２４１６１８号公報
【考案の概要】
【考案が解決しようとする課題】
【０００４】
しかし、ソケットの嵌合溝にシェードの開口部を嵌合する場合、開口部の上下寸法及び口径がシェードの種類により異なる場合には、一様に取り付けできないという問題がある。
【０００５】
一方、ＬＥＤ電球は配光性（光の広がり）に劣るため、シェードが要求されないから、ＬＥＤ電球用ソケットにシェードを設けるものは従来なかった。
しかし、ＬＥＤ電球を白熱電球と同様の勝手で使用したいという要求がある。また、照明器具のデザイン性を高める為にＬＥＤ電球においてもシェードを取り付けたいという要求がある。
【０００６】
そこで、本考案は、簡易な構成で異なる種類のシェードの取付けが容易にできるＬＥＤ電球用ソケット及びＬＥＤ電球用ソケット装置を提供することを目的とする。
【課題を解決するための手段】
【０００７】
請求項１に記載の考案は、上面に天井の電源部に嵌合する一対の接続端子を備え、下面にＬＥＤ電球を接続する口金を備え、側面にシェードの開口部が上から載置可能なフランジ部を備えることを特徴とするＬＥＤ電球用ソケットである。
【０００８】
請求項２に記載の考案は、請求項１に記載の考案において、下面の口金は複数であり、スイッチにより各口金への通電のＯＮ・ＯＦＦを切換可能にしてあることを特徴とする。
【０００９】
請求項３に記載の考案は、請求項１又は２のＬＥＤ電球用ソケットと、このＬＥＤ電球用ソケットと天井の前記電源部との間に配置してＬＥＤ電球の高さを調整するアダプタとを備え、アダプタは上面に前記電源部に嵌合する一対のアダプタ端子を備え、下面にＬＥＤ電球用ソケットの接続端子に接続される端子受け部を備え、側面にシェードの開口部が上から載置可能なフランジ部を備えることを特徴とするＬＥＤ電球用ソケット装置である。
【考案の効果】
【００１０】
請求項１に記載の考案によれば、ＬＥＤ電球用ソケットの側面にはフランジ部が設けてあり、シェードの開口部をフランジ部に上から載置してシェードをＬＥＤ電球用ソケットに係止してシェードを取り付ける。
【００１１】
したがって、本考案にかかるＬＥＤ電球用ソケットはシェードの開口部をフランジ部に上から載置する構成であるから、シェードの種類により多少の開口部の径が異なる場合でも取付けできると共に、先行技術のように、溝に嵌合する構成でないから開口部の高さ寸法の影響を受けることがなくシェードの取付けができる。
【００１２】
ソケットの側面にフランジ部を設けるだけであるから簡易な構成で製造が容易である。
ＬＥＤ電球用ソケットにシェードを取付けできるので、ＬＥＤ電球を用いた照明器具のデザイン性を高めることができる。
【００１３】
請求項２に記載の考案によれば、請求項１に記載の効果を奏することができると共に、ＬＥＤ電球用ソケットが複数の口金を備えると共に、各口金の通電をＯＮ・ＯＦＦ可能にしてあるので、ＬＥＤ電球用ソケットに装着した複数のＬＥＤ電球において、任意の１つのみをＯＮにして照明したり、複数を同時にＯＮにして照明したりすることにより光の方向性や光度を調整できる。
【００１４】
請求項３に記載の考案によれば、請求項１又は２に記載の効果を奏することができると共に、アダプタを設けることにより天井からＬＥＤ電球の高さを調整ができる。アダプタは１つに限らず複数直列に設けても良いし、高さ寸法の異なるアダプタを用いることにより任意の高さに電球の高さを調整できる。更に、アダプタにはＬＥＤ電球用ソケットと同様にシェードを取付け可能なフランジ部が設けてあるので、アダプタ又はＬＥＤ電球用ソケットにシェードが取付け可能であり、任意に選択してシェードを取り付けることにより、上下方向におけるシェードの取付け位置の調整ができる。
尚、アダプタを複数用いる場合には、全てのアダプタにシェード取付け用のフランジを設けることに限らず、フランジの無いタイプのアダプタを組み合わせて用いても良い。
【図面の簡単な説明】
【００１５】
【図１】第１実施の形態にかかるＬＥＤ電球用ソケットを備える照明器具の断面図である。
【図２】図１に示すＬＥＤ電球用ソケットの上面図である。
【図３】図１に示すＬＥＤ電球用ソケットの底面図である。
【図４】第２実施の形態にかかるＬＥＤ電球用ソケットを備える照明器具の断面図である。
【図５】第３実施の形態にかかるＬＥＤ電球用ソケットにシェードを取付けた状態を示す側面図である。
【図６】図５に示すＬＥＤ電球用ソケットの底面図である。
【図７】第４実施の形態にかかるＬＥＤ電球用ソケットにシェードを取付けた状態を示す側面図である。
【図８】図７に示すＬＥＤ電球用ソケットの底面図である。
【考案を実施するための形態】
【００１６】
以下に添付図面を参照して本考案の実施の形態を詳細に説明するが、まず、図１〜図３を参照して第１実施の形態について説明する。
図１に示すように、家屋の室内の天井１には、照明用の電源部３が設けてあり、この電源部３に本考案に係るＬＥＤ電球用ソケット５が装着されている。電源部３には一対の電源端子７が設けてあり、電源端子７は家庭用商業電流の端子である。
【００１７】
ＬＥＤ電球用ソケット５は、本体９を備え、図１及び図２に示すように、本体９の上面には一対の接続端子１１が突設されている。一対の接続端子１１は電源部３の溝部３ａに下から挿入して所定角度回転させることにより、電源部３に嵌合すると共に接続端子１１が電源端子７に圧接するようになっている。
【００１８】
図１及び図３に示すように、本体９の下面には、ＬＥＤ電球１３用の口金１５が設けてあり、口金１５にはＬＥＤ電球１３の金具１７が螺合する螺合溝が形成されている。
ＬＥＤ電球用ソケット５の本体９の側面には外周側に突設するフランジ部１９が周方向に形成されている。フランジ部１９の上面は、シェード２１の開口部２３が上から載置する載置面２５になっている。
【００１９】
次に、本実施の形態にかかるＬＥＤ電球用ソケット５の取り付け、作用、効果について説明する。ＬＥＤ電球用ソケット５の下面の口金１５にＬＥＤ電球を１３の金具１７を螺着し、ＬＥＤ電球用ソケット５の上端をシェード２１の開口部２３に下から通して、ＬＥＤ電球用ソケット５の接続端子１１を天井１の電源部３に嵌合する。これにより、電源部３の電源端子７とＬＥＤ電球用ソケット５の接続端子１１とが接続される。
【００２０】
本実施の形態に係るＬＥＤ電球用ソケット５によれば、本体９の側面にはフランジ部１９が設けてあり、シェード２１の開口部２３をフランジ部１９の載置面２５に上から載置するので、シェード２１の種類により多少の開口部２３の径が異なる場合でも取付けできると共に、先行技術のようにシェード２１の開口部２３は溝に嵌合する構成でないから開口部の高さ寸法の影響を受けることがなくシェード２３の取付けが容易にできる。
ＬＥＤ電球用ソケット５の本体９の側面にフランジ部１９を設けるだけであるから簡易な構成で製造が容易である。
ＬＥＤ電球用ソケット５にシェード２１を取り付けできるので、ＬＥＤ電球用照明器具のデザイン性を高めることができる。
【００２１】
以下に本考案の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図４に本考案の第２実施の形態を示す。この第２実施の形態は、ＬＥＤ電球用ソケット５とアダプタ２７とを備えるＬＥＤ電球用ソケット装置２８である。即ち、電源部３とＬＥＤ電球用ソケット５との間にアダプタ２７を設けている点が上述した第１実施の形態と異なっている。
【００２２】
アダプタ２７は上面に一対の接続端子１１と同じ形状のアダプタ端子２９を有し、下面に電源部３の電源端子７と同じ形状の端子受け部３１及び電源部３の溝部３ａと同じ形状の溝部３２が設けてあり、電源部３と同様にＬＥＤ電球用ソケット５の一対の接続端子１１が下からの挿入と回転により嵌合して、接続できるようなっている。アダプタ端子２９と端子受け部３１は図４に一点鎖線で示すように、電気的に接続されている。
更に、アダプタ２７の側面には、ＬＥＤ電球用ソケット５と同様にシェード２１を取付け可能なフランジ部３７が設けてある。アダプタ２７にフランジ部３７を設けることにより、アダプタ２７又はＬＥＤ電球用ソケット５のいずれかにシェードが取付け可能であり、任意に選択してシェード２１を取り付けることにより、上下方向におけるシェード２１の取付け位置の調整ができる。
【００２３】
アダプタ２７は、その上下寸法は特に限定されず、各種寸法のものを用いることができる。また、複数のアダプタを直列に接続して用いることもできる。
この第２実施の形態によれば、アダプタ２７を設けることにより天井１からＬＥＤ電球１３までの高さを調整ができる。また、高さ寸法の異なるアダプタ２７や複数のアダプタ２７を直列に接続して用いることにより、任意の高さに電球の高さを調整できる。
尚、アダプタ２７を複数用いる場合には、全てのアダプタ２７にシェード取付け用のフランジ３７部を設けることに限らず、フランジ部３７の無いタイプのアダプタ２７を組み合わせて用いても良い。即ち、フランジ部３７は少なくとも１つのアダプタ２７にあれば良い。
【００２４】
図５及び図６を参照して第３実施の形態を説明する。この第３実施の形態では、ＬＥＤ電球用ソケット５の下面には２つの口金１５ａ、１５ｂを設けてあり、各口金１５ａ、１５ｂはスイッチ部３３により、ＯＮ・ＯＦＦ制御されている。このスイッチ部３３はロータリ型のプルスイッチであり、紐３５を引くと一方の口金１５ａがＯＮになり、次に引くと一方の口金１５ａと他方の口金１５ｂがＯＮになり、更に引くと一方の口金１５ｂがＯＦＦなり、次に引くと他方の口金１５ａがＯＦＦになる。
【００２５】
この第３実施の形態によれば、上述した第１実施の形態と同様の作用効果を奏すると共に、ＬＥＤ電球用ソケット５が複数の口金１５ａ、１５ｂを備えると共に各口金１５ａ、１５ｂの通電をＯＮ・ＯＦＦ可能にしてあるので、ＬＥＤ電球用ソケット５に装着した複数のＬＥＤ電球１３において、任意の１つのみをＯＮにして照明したあり、複数を同時にＯＮにして照明したりすることにより光の方向性や光度を調整できる。
【００２６】
本考案は、上述した実施の形態に限らず、本考案の要旨を逸脱しない範囲で種々変形可能である。
例えば、図７及び図８に示すように、ＬＥＤ電球用ソケット５には、口金１５ａ、１５ｂ、１５ｃを３つ設けるものであっても良く、その数は限定されない。尚、図７及び図８に示すＬＥＤ電球用ソケット５においても、第３実施の形態と同様にロータリ型のプルスイッチ部３３を設けても良いし、他の形式のスイッチ、例えば、口金１５ａ、１５ｂ、１５ｃ全体を一緒にＯＮ及びＯＦＦするスイッチを設けても良い。
シェード２１は、シーリングライトにおける電球を覆うカバーであっても良い。
【符号の説明】
【００２７】
５    ＬＥＤ電球用ソケット
９    本体
１１  接続端子
１３  ＬＥＤ電球
１５、１５ａ、１５ｂ、１５ｃ  口金
１９  フランジ部
２１  シェード
２３  開口部
２５  載置面
２７  アダプタ
２８  ＬＥＤ電球用ソケット装置
２９  アダプタ端子
３１  端子受け部
３３  スイッチ部
【図１】
0003171210.tif 000003
【図２】
0003171210.tif 000004
【図３】
0003171210.tif 000005
【図４】
0003171210.tif 000006
【図５】
0003171210.tif 000007
【図６】
0003171210.tif 000008
【図７】
0003171210.tif 000009
【図８】
0003171210.tif 000010